【手続補正書】
【提出日】平成28年2月24日(2016.2.24)
【手続補正１】
【補正対象書類名】明細書
【補正対象項目名】全文
【補正方法】変更
【補正の内容】
【発明の詳細な説明】
【発明の名称】発電機
【技術分野】
【０００１】  本発明はエネルギーセクターの分野に存り、より具体的には電力生産のために考案されるデバイス、機械、装置に存る。
【背景技術】
【０００２】  周知のように、世界の電力の生産において、現在、以下のような深刻な問題が引き起こされている。−価格が高いための経済的な問題。−環境問題、大気汚染、河川、海などの汚染。−原子力エネルギーに関連する高いリスク。−継続的な需要の増加、等。したがって、こうしたいろいろな問題に対する解決策を見出すことが求められている。すなわち持続性のある態様で、クリーンで経済的かつ大量に電力を生産することが求められている。本発明の目的は、一組の要素が連結された機械の開発であり、これによって効率的な方法で上記のような解決策を提供するものである。【０００３】  現行技術を参照すると、電気を発生するためのいろいろなシステムを説明した種々の文書が知られているが、それらのいずれも、本発明において特許を請求する電気発生アセンブリの技術的特徴または構造的特徴に類似のものを提供してはいない。【０００４】  文献ＧＲ１００４４９８には本発明の特徴を有するタイプの機械が記載されており、この機械はダイヤモンド形状のいくつかのデバイスに基づいていて有節アームを備えており、エネルギーを増加させるシステムに関する。しかし、この機械は基本的には本発明の機械よりもずっと複雑であるので、この機械は本発明の機械とは大きく異なっている。
【発明の概要】
【０００５】  本発明は、本発明の名称に示されるように、電気生成のためのアセンブリに関し、本アセンブリは、その発明に係る機能に関して、以下に詳細に説明されるいくつかの新規な利点と特徴を提供し、また同目的のため、現在公知の技術におけるあらゆるシステムを超えた、改良されたシステムを提供するものである。
【０００６】  より具体的には、本発明の目的は電気を発生することを意図するアセンブリに基づき、有節アームを有する機械を駆動させる電気モーターを備え、有節アームは受け取った力をシリンダー方向へ増加するための梃子として作用して流体を加圧し、移動する（ｏｎ  ｔｏｕｒ）流体は発電機を回転させるタービンを駆動させるために使用され、アセンブリが最初にスタートした後は、電気モーターは電気モーターに電力を供給するこのような発電機と接続されうる。
【０００７】  本発明は、電気発生のためのアセンブリに関し、本アセンブリは本質的に電気モーターと、電気モーターによって作動される有節アームを有する機械と、機械の作用を増幅することによって駆動されるタービンとを具備し、発電機に作用する。発電機は電気モーターが使用する電気を供給するように構成され、かつ都合よく使用できる出力エネルギーを供給する。そのため本機械は発明の新規な要素を構成するものである。
【０００８】  したがって、本機械は梃子の法則と同等反対同時生起力という２つの本質的な原理に基づいた構造上の構成を有する。この構成を達成するために、本機械は、少なくとも２つの有節アームグループを具備し、各アームグループは他のアームグループに関して左右対称に配置される。
【０００９】  各アームグループは、関節部により相互に連続的に接合する２つの構成部分をからなり、短い方のロッド部は、ロッドとして作用し関節部によりクランクシャフトに連結され、より具体的にはクランクシャフトのクランクピンに連結されている。クランクシャフトは、本機械の底部にある電気モーターの回転軸に結合された他方のプーリーに、ベルトによって結合されたプーリーのインパルスよって駆動されて回転する。長い方の中間レバー部はロッドとして作用するロッド部にその端部の近くで接続されており、レバー部は反対側端部に近い方の位置で支点として作用するサポート軸に接合され、本サポート軸はクランクシャフトの軸に平行である。
【００１０】  さらに、機械の上部で、レバー部の最終端が、挿入最終セグメントによってそれぞれの関節部に連結され、入口バルブと出口バルブを備えるシリンダーのピストンが流体系と接続される。
【００１１】  したがって、アームグループの各ペアのレバー部は梃子として作用し、そうした梃子の支点はレバー部がそのまわりを回転できる軸であり、さらに、レバー部は、ロッド部との結合部である関節部において継続的な前後運動をおこないこれにより力を得る。
【００１２】  すべての有節アームグループは同一でありかつ左右対称に配置されており、そのためレバー部とクランクシャフトに結合したロッド部から生じる力の値はゼロとなり、したがって、本機械は動作に必要とされるエネルギーは最少ですみ、結果としてエネルギー収率を最大化できる。
【００１３】  本アセンブリの動作は以下詳細に説明される。
【００１４】  電気モーターは第１のプーリーを回転し、第１のプーリーは、ベルトを介して第２のプーリーに運動を伝達し、これによって第２のプーリーはクランクシャフトを回転する。クランクシャフトはロッド部とクランクシャフトを接合させる関節部に回転運動を伝達し、本ロッド部は、本ロッド部とレバー部を接合させる関節部を介して、継続的な前後運動を伝達する。ロッド部がレバー部より長いので、レバー部とロッド部の関節部は対称軸の一方と他方の間でお互いに侵入しあうことはない。
【００１５】  有節アームのレバー部によって獲得された前後運動は、レバー部がもたらす梃子効果の結果として増幅される力を有して、サポート軸の上側の上端部に伝達される。
【００１６】  レバー部の当該上端部の関節部によって受け取られる力は、ロッド部と結合する関節部から支点までの長さと関連するであろう。
【００１７】  最終セグメントと、レバー部およびピストンと本最終セグメントが結合する関節結合部を介して、前後運動がピストンに伝達される。
【００１８】  ついで、ピストンは、流体（シリンダー内の水または空気）を強く圧する。
【００１９】  シリンダーにおいては、出口バルブが入口バルブより狭く、そのため流体はより高い圧力で出て行く。さらに、好ましくは、流体が水の場合に、シリンダーに偶然入った空気を抜き取るため、シリンダーに付加的バルブを備えることができる。
【００２０】  シリンダーから噴出する流体はタービンに向けられ、この移動が強力な発電機を回転させる。
【００２１】  好ましくは、本機械は、以上に記載のものと同等で同一の動作をおこなう有節アームのペアをより多く有してもよく、かかる有節アームはクランクシャフトとサポート軸で相互に関節部で接続された左右対称のペアとなっており、このような態様で同期して作動し、したがって噴出する流体はタービンに継続的に衝撃を与え、これによってタービンに継続的な運動を生じさせる。
【００２２】  発電機からの出力エネルギーは他の目的のために使用されてもよい。
【００２３】  流体が水の場合は、貯水槽は、空気が偶然に混入されるのを避けるため、シリンダーより高い位置にあるのが好ましい。
【００２４】  また、好ましくは、タービンから落ちてくる水がいったん集められて貯蔵されて、次いでシリンダーに水を供給する貯水槽へと向けられるようにすると、水は再利用可能となる。
【００２５】  一方、流体が空気の場合は、空気が集められて貯蔵され、空気の圧力が適切なレベルに達したとき、空気はタービンを駆動するために使用される。
【００２６】  上記の説明は、本発明のアセンブリによる力増幅機械の単純性という特徴を強調しており、本アセンブリは主としてそれぞれの軸上で回転するための端部に適合するように構成される剛体部分に関連するだけである。
【００２７】  上記電気発生のためのアセンブリは、この目的のため、これまでに知られていない新規な特徴からなる新規な構造を示すとともに、産業上の利用可能性をも示しており、特許権を付与されるに十分な要件を有するものである。
【図面の簡単な説明】
【００２８】  ここまでの発明の説明を補い、発明の特徴がさらによく理解されるように、発明の実施の態様の好ましい実施例に応じて、発明を説明するための必須部分として一組の図面を添付するが、以下の記載は説明のためのものであって発明の特徴を限定するものではない。【図１】本発明の電気発生のためのアセンブリの概略図を示し、アセンブリの主要な構成要素を観察することができる。
【図２】本発明の有節アームを有する機械の実施形態の正面図を示し、主要な部品とその構成配置を観察することができる。
【図３】図２に示される機械の平面図である。
【図４】図２及び図３に示される実施形態の側面図を示す。
【図５】クランクシャフトの実施形態の正面図を示す。
【発明を実施するための形態】
【００２９】  上記図面と図中の参照数字によって、本発明による電気発生のためのアセンブリの好適な実施形態が示され、主要構成要素と部品が以下より詳細に説明される。
【００３０】  図１に示されるように、アセンブリ（１）は、電気モーター（２）と、電気モーター（２）によって作動される有節アームを有する機械（３）と、機械（３）の作用によって駆動されるタービン（４）に基づいて本質的には構成され、そして発電機（５）に対し作用する。発電機（５）は、電気モーター（２）に電力を供給するための電気モーター（２）への接続部（６）と、出力エネルギーを配分するための手段（７）を有する。
【００３１】  図２乃至図５によれば、機械（３）は、少なくとも２つの同一の有節アーム（８）のグループを有し、これらは垂直対称軸（Ａ）に基づいて左右対称に配置される。
【００３２】  アーム（８）の各グループは、関節部（１２）により相互に連続的に接合する２つの構成部分（１０，１１）を有し、構成部分（１０，１１）は、ロッド部（１０）とレバー部（１１）からなり、ロッド部（１０）は、関節部を有して連結されるクランクシャフト（１３）のクランクピン（９）より長く、クランクシャフト（１３）は、電気モーター（２）に結合された第２のプーリー（１６）に、ベルト（１５）を介して結合された第１のプーリー（１４）によって駆動されて回転し、レバー部（１１）は反対側端部に近い方の位置でサポート軸（１７）に接合され、サポート軸（１７）のまわりを回転する。
【００３３】  ロッド部が関節部を有して接合されるクランクシャフト（１３）のクランクピン（９）より長く、クランクピン（９）に同期して同時に回転するので、各アームグループ（８）のロッド部（１０）とレバー部（１１）を接合させるための関節部（１２）が、対称軸（Ａ）の一方と他方の間でお互いに侵入しあうことはないということをここで強調しておくことは重要である。
【００３４】  結果として、アーム（８）の各グループのレバー部（１１）は梃子として作用し、梃子の支点はレバー部（１１）がそのまわりを回転するサポート軸（１７）であり、さらに、レバー部（１１）は、レバー部（１１）をロッド部（１０）に接合させる関節部（１２）において継続的な前後運動をおこない、これにより力を得る。
【００３５】  さらに、機械の上部で、レバー部（１１）の最終端が、関節部（１２）を介してその端部において接合される挿入最終セグメント（１８）によって、シリンダー（２０）のピストン（１９）に連結される。ピストン（１９）には入口バルブ（２１）と入口バルブ（２１）よりサイズの小さい出口バルブ（２２）が備えられ、水または空気の流体系と接続され、また選択的に空気吐出用の付加的バルブ（２３）も備えられる。
【００３６】  要約すれば、有節アーム（８）を有する機械（３）は受け取った力をシリンダー（２０）の方向へ増加し、流体に圧力を加える。この目的のため、対称軸（Ａ）の両側それぞれに少なくとも２つの同一の左右対称の有節アームグループ（８）が備えられ、有節アームグループ（８）は同期して作動し２点で関節部を有する。有節アームグループ（８）はクランクシャフト（１３）の一端において関節部を有して接合され、レバー部（１１）の両端部がサポート軸（１７）の周囲を回転するよう、レバー部（１１）の支点として作用するサポート軸（１７）において連結される。同時に、レバー部（１１）はシリンダー（２０）のピストン（１９）に作用し、タービン（４）を駆動させる流体に圧力を与える。
【００３７】  機械は上述したように選択的に３つ以上の有節アームグループ（８）を有し、クランクシャフト（１３）とサポート軸（１７）において相互に接合され、アーム（８）は例えば同期的に動作するように左右対称のペアとして配置され、各ペアはそれぞれのロッド部（１０）においてクランクシャフト（１３）に固定される。図５は、このような選択的態様を図示する、クロス形状のクランクピン（９）を有するクランクシャフト（１３）を示す。
【手続補正２】
【補正対象書類名】特許請求の範囲
【補正対象項目名】全文
【補正方法】変更
【補正の内容】
【特許請求の範囲】
【請求項１】
電気発生のためのアセンブリにおいて、  電気モーター（２）と、  電気モーター（２）によって駆動されるために電気モーター（２）に接続され、電気モーター（２）から受け取る力を増幅する有節アーム機械（３）と、  機械（３）に接続され、機械（３）によって駆動されるタービン（４）と、  タービン（４）によって駆動されるようにタービン（４）に接続され、出力エネルギーを生産するために電気モーター（２）から動力を供給されるように、電気モーター（２）への接続部を有する発電機（５）と、  発電機（５）からの出力エネルギーを配分する手段（７）を有するアセンブリであって、  さらに機械（３）が、  同一の、同期して動く少なくとも１つのペアを形成する有節アーム（８）であって、対称軸（Ａ）の両側に左右対称に配置され、第１の端部と第１の端部の反対側に第２の端部を有する有節アーム（８）と、  有節アーム（８）の第１の端部に関節部を有して接合され、電気モーター（２）によって回転可能なクランクシャフト（１３）と、  有節アーム（８）のために支点として作用するため有節アーム（８）の中間位置に接続されるサポート軸（１７）であって、それぞれの有節アーム（８）の第２の端部がその周囲を回転可能であるサポート軸（１７）と、  有節アーム（８）の第２の端部に接続されるピストン（１９）を有し、タービン（４）を駆動するために液体に圧力を加えるため、有節アーム（８）によって駆動されるシリンダー（２０）を有することを特徴とする電気発生のためのアセンブリ。
【請求項２】
有節アーム（８）が、有節アーム（８）の第１の端部を有するロッド部（１０）と、有節アーム（８）の第２の端部と中間位置を有するレバー部（１１）からなり、レバー部（１１）が関節部（１２）によってロッド部（１０）に関節部を有して接続され、これによりレバー部（１１）が継続的な前後運動をするために駆動されることを特徴とする請求項１に記載の電気発生のためのアセンブリ。
【請求項３】
機械（３）がさらに、クランクシャフト（１３）を駆動して回転させるための第１のプーリー（１４）と、電気モーター（２）に接続される第２のプーリー（１６）と、第１のプーリー（１４）を第２のプーリー（１５）に結合するためのベルト（１５）を有することを特徴とする請求項１又は２に記載の電気発生のためのアセンブリ。
【請求項４】
ロッド部（１０）がクランクピン（９）より長く、またロッド部（１０）が関節部を有してクランクシャフト（１３）に接合されていてクランクシャフト（１３）と同期して回転し、そのため各有節アーム（８）のロッド部（１０）とレバー部（１１）を接合する関節部（１２）が対称軸（Ａ）の一方と他方の間でお互いに侵入しあうことはないようになっていることを特徴とする請求項２又は３に記載の電気発生のためのアセンブリ。
【請求項５】
機械（３）がさらに、シリンダー（２０）に配置され、水または空気の流体系に接続される入口バルブ（２１）および出口バルブ（２２）と、  ピストン（１９）を有節アーム（８）の第２の端部に連結するために、有節アーム（８）の第２の端部とピストン（１９）との間に挿入される最終セグメント（１８）を有することを特徴とする請求項１乃至４のいずれかに記載の電気発生のためのアセンブリ。
【請求項６】
出口バルブ（２２）が入口バルブ（２１）より狭いことを特徴とする請求項５に記載の電気発生のためのアセンブリ。
【請求項７】
流体が水の場合に、各シリンダー（２０）が、シリンダー（２０）から空気を吐出させるための付加的バルブ（２３）を有することを特徴とする請求項５又は６に記載の電気発生のためのアセンブリ。
【請求項８】
流体が水の場合に、貯水槽がシリンダー（２０）より高い位置に配置されることを特徴とする請求項５乃至７のいずれかに記載の電気発生のためのアセンブリ。
【請求項９】
機械（３）が２つ以上の、同期して作動するペアを形成する有節アーム（８）を有することを特徴とする請求項１乃至８のいずれかに記載の電気発生のためのアセンブリ。
【手続補正４】
【補正対象書類名】図面
【補正対象項目名】全図
【補正方法】変更
【補正の内容】
【図１】
2015520597.tif 000001
【図２】
2015520597.tif 000002
【図３】
2015520597.tif 000003
【図４】
2015520597.tif 000004
【図５】
2015520597.tif 000005